(57)【要約】      （修正有）【課題】多種多様な形を持つ粉状化粧品のレフィルのほとんどを収納できる化粧料容器の提供，ならびに，使用者のこだわりや愛着などの観点から，使用者の趣向に対応しやすいよう，化粧料容器の外観の変更を，容易に行うことが出来る化粧料容器の提供【解決手段】容器本体と容器蓋からなる化粧料容器であって，前記容器本体は，レフィル収納部とパフ収納部を有し，前記レフィル収納部は，レフィルの高さを調整し，かつ，レフィルを配置するための取り外しが可能なレフィル高調整台を備えていることを特徴とする化粧料容器【選択図】図７
2014150907.tif 000002
【特許請求の範囲】
【請求項１】
容器本体と容器蓋からなる化粧料容器であって，
前記容器本体は，レフィル収納部とパフ収納部を有し，
前記レフィル収納部は，レフィルの高さを調整し，かつ，レフィルを配置するための取り外しが可能なレフィル高調整台を備えていることを特徴とする化粧料容器
【請求項２】
前記容器本体が，さらに容器蓋との結合を可能とする本体接合部を有し，
前記容器蓋が，容器本体との着脱を可能とする容器蓋接合部を有することを特徴とする請求項１に記載の化粧料容器
【請求項３】
レフィル高調整台がさらに凹部又は凸部を有し，
この凹部又は凸部に対して，嵌合もしくは回転により結合可能な凹部又は凸部がレフィル収納部に設けられており，嵌合もしくは回転の度合いを調整することによりレフィル高を調整することを特徴とする請求項１又は２に記載の化粧料容器
【請求項４】
さらに，配置されたレフィルを可逆的に固定するためのレフィル簡易固定機構を備えることを特徴とする請求項１から３に記載の化粧料容器
【請求項５】
レフィル簡易固定機構が，レフィルを可逆的に固定するためのスポンジ等の弾性部材であることを特徴とする請求項４に記載の化粧料容器
【請求項６】
レフィル簡易固定機構が，レフィルを可逆的に固定するためのスライド式ひも状部材であることを特徴とする請求項４に記載の化粧料容器
【請求項７】
本体結合部および容器蓋結合部において，これらが接合するための磁性部材が用いられていることを特徴とする請求項１から６に記載の化粧料容器
【発明の詳細な説明】
【技術分野】
【０００１】
本発明は，化粧料容器に関する。
【背景技術】
【０００２】
女性の多くは，ファンデーションケースないしコンパクトケースと呼ばれる化粧料容器を保有している。この化粧料容器は，粉状化粧料や固形化粧料が充填されたレフィル，そしてこれを塗布するためのパフなどが収納されている。
【０００３】
レフィルやパフなどは，消耗品であり，使い終わると新たなレフィル等を化粧料容器に収納することとなる。また，レフィルに充填された化粧料は，個人の肌質や好みがあるため，いったん使った化粧料が合わなかったり，季節の変化に応じて，レフィルごと変更したりすることもある。
【０００４】
このように，化粧料容器の中身である，レフィル等を変更することは，通常，生じることである。しかしながら，レフィル等は，製品により，その大きさや形状が異なることがほとんどである。そのため，レフィル等の変更により，化粧料容器を変更しなければならない事態が生じうる。このことから，レフィルの変更に対応可能な，種々の化粧料容器が開発されている（特許文献１，特許文献２，特許文献３）。
【先行技術文献】
【特許文献】
【０００５】
【特許文献１】特開２００５−２０５０３５
【特許文献２】特開２００６−３４５９５９
【特許文献３】特開２０１３−０１３６６５
【発明の開示】
【発明が解決しようとする課題】
【０００６】
前述のとおり，レフィルの変更に対応可能な，種々の化粧料容器に関する技術が開示されている。しかし，これら従来技術は，化粧料容器の構造に応じた一定の形状ないし固定手段を有する技術である。そのため，これら従来技術は，様々な販売会社から販売される，多種多様な大きさないし形状のレフィルには全く対応できないものである。
【０００７】
また，化粧料容器は，使用者のこだわりや愛着も強く，好みのものを長く使用したいということも多い。しかしながら，前述のとおり，レフィル等の大きさや形状が異なるため，事実上，ある化粧料容器を継続して使用したければ，レフィルの大きさや形状をその化粧料容器に合致したものを選択しなければならない。化粧料は，本来，使用者の肌質に応じて選択すべきものであるのに，このような事態は本末転倒である。
【０００８】
上記事情を背景として，本発明の第一の課題は，多種多様な形を持つ粉状化粧品などのレフィルのほとんどを収納できる化粧料容器の開発である。加えて，本発明の第二の課題は，使用者のこだわりや愛着などの観点から，使用者の趣向に対応しやすいよう，化粧料容器の外観の変更を，容易に行うことが出来る化粧料容器の開発である。
【課題を解決するための手段】
【０００９】
発明者は，鋭意研究の結果，上記課題を解決する化粧料容器を開発した。本発明は，以下の構成からなる。
本発明の第一の構成は，容器本体と容器蓋からなる化粧料容器であって，前記容器本体は，レフィル収納部とパフ収納部を有し，前記レフィル収納部は，レフィルの高さを調整し，かつ，レフィルを配置するための取り外しが可能なレフィル高調整台を備えていることを特徴とする化粧料容器である。
【００１０】
本発明の第二の構成は，前記容器本体が，さらに容器蓋との結合を可能とする本体接合部を有し，前記容器蓋が，容器本体との着脱を可能とする容器蓋接合部を有することを特徴とする第一の構成に記載の化粧料容器である。
【００１１】
本発明の第三の構成は，レフィル高調整台がさらに凹部又は凸部を有し，
この凹部又は凸部に対して，嵌合もしくは回転により結合可能な凹部又は凸部がレフィル収納部に設けられており，嵌合もしくは回転の度合いを調整することによりレフィル高を調整することを特徴とする第一又は第二の構成に記載の化粧料容器である。
【００１２】
本発明の第四の構成は，さらに，配置されたレフィルを可逆的に固定するためのレフィル簡易固定機構を備えることを特徴とする第一から第三の構成に記載の化粧料容器である。
本発明の第五の構成は，レフィル簡易固定機構が，レフィルを可逆的に固定するためのスポンジ等の弾性部材であることを特徴とする第四の構成に記載の化粧料容器である。
本発明の第六の構成は，レフィル簡易固定機構が，レフィルを可逆的に固定するためのスライド式ひも状部材であることを特徴とする第四の構成に記載の化粧料容器である。
【００１３】
本発明の第七の構成は，本体結合部および容器蓋結合部において，これらが接合するための磁性部材が用いられていることを特徴とする第一から第六の構成に記載の化粧料容器である。
【発明の効果】
【００１４】
本発明により，多種多様な形を持つ粉状化粧品などのレフィルのほとんどを収納できる化粧料容器の提供が可能となった。加えて，本発明の化粧料容器は，蓋部分を変更することが可能なことから，化粧料容器の外観の変更を容易に行うことが出来，使用者の趣向に対応することができるものである。
【図面の簡単な説明】
【００１５】
【図１】化粧料容器の分解図
【図２】化粧料容器の斜視図
【図３】レフィルを収納した化粧料容器の斜視図
【図４】レフィル高調整台の断面図
【図５】スポンジ弾性部材を用いた化粧料容器の斜視図
【図６】レフィルを収納した，スポンジ弾性部材を用いた化粧料容器の斜視図
【図７】レフィルを収納した，スポンジ弾性部材ならびにスライド式ひも状部材を用いた化粧料容器の斜視図
【発明を実施するための形態】
【００１６】
ここでは図面を例にとりながら，本発明の化粧料容器の説明を行うが，本発明を下記の内容に限定して解釈すべきものでないことは，言うまでもない。
【００１７】
図１の化粧料容器の分解図に示すとおり，本発明の化粧料容器は，容器本体１と容器蓋２からなる。これら容器本体１と容器蓋２が接合され，レフィル収納部にレフィルを配置することにより，化粧料容器を用いることができる（図２，３）。以下，容器本体と容器蓋に分けて説明を行う。
【００１８】
＜＜Ｉ．容器本体＞＞
容器本体１は，レフィル収納部３，パフ収納部４，本体接合部５，レフィル高調整台６などの構成要素からなる。以下，それぞれの構成について，説明を行う。
【００１９】
＜１．レフィル収納部＞
(1)  レフィル収納部は，レフィルを収納するという機能を果たす。レフィル収納部は，このレフィルを収納するという機能を果たす限り，特に限定する必要はなく，種々の構成を採用することができる。
(2)  図１に示すように，レフィル収納部３は，後述するレフィル高調整台６によりレフィルの鉛直方向の位置を調整することができる。このため，レフィル収納部３の深さは，レフィル高よりも深い，適度な深さとすればよく，例えば，市販されているレフィルの１から1.2倍程度の高さとすればよい。
(3)  また，レフィル収納部の形状については，長方形などのレフィルが収納可能な形状とすればよく，図１に示すような，長方形のような形状とすればよい。
【００２０】
＜２．レフィル高調整台＞
(1)  レフィル高調整台は，レフィルを配置するための台として，そして，配置されたレフィルの高さを調整するための役割を有する。これにより，レフィルの高さと化粧料容器本体の側面の高さを容易に合わせることが可能となり，使用者のレフィルの使用感を向上させ，使い残しなども発生しにくい構成とすることができる。レフィルを配置する際には，両面テープによる接着等，種々のレフィル固定方法を用いることができるし，後述する固定方法を採用することもできる。
(2)  レフィル高調整台は，取り換え可能であることから，レフィルの形状等に応じて変更することが可能であり，化粧料容器の使い勝手や経済性を向上させる効果を有する。
(3)  レフィル高調整機構は，レフィルが配置可能であり，レフィルの高さが調整可能な限り種々の形状や構成を採用することができる。このようなレフィル高調整台として，例えば，嵌合機構やネジ状機構を備えたものなど，種々の構成が挙げられる。
【００２１】
(4)  好ましくは，図４に示すように，回転式レフィル高調整台６を設けた構成が挙げられる。回転式レフィル調整台６には，ネジ状穴（凹部７）が設けられており，これに対応したネジ状突起（凸部８）がレフィル収納部底部に設けられている。このレフィル高調整台６を回転させ，その高さを上下に調整することにより，レフィルの高さを調整することが可能となる。
(5)  また，当然のことながら，ネジ状穴を容器本体に設け，ネジ状突起をレフィル高調整台に設けても構わない。
(6)  なお，レフィルをレフィル高調整台に配置する際は，両面テープなどの接着物を使ってもよいし，レフィルに嵌合可能なレフィル高調整台を用いてもよい。
【００２２】
＜３．レフィル簡易固定機構＞
(1)  レフィル収納部では，配置されたレフィルの位置がずれないよう，可逆的な固定機構を備えることができる。これにより，レフィル高調整台に配置されたレフィルの安定性を，より向上させるという効果を有する。
(2)  レフィル簡易固定機構は，レフィルを可逆的に固定することが可能な限り種々の固定手段ないし構成を採用することができる。例えば，接着物や，固定器具などによる固定手段である。
【００２３】
(3)  好ましい簡易固定機構として，スポンジ等の弾性部材を用いることができる。これにより，レフィルの形状に応じた圧着固定が可能となるともに，弾性部材の取り換えが容易であることから，化粧料容器の使い勝手を向上させるという効果を有する。
(4)  弾性部材は，一定の弾力を有し，かつ，形状の加工がしやすい部材であれば特に限定する必要はない。このような部材として例えば，スポンジ状の部材やゴム状の部材などを用いることができる。
(5)  弾性部材として，スポンジ状弾性部材９，９’を用いた例を図５と図６に示す。スポンジ弾性部材９等は，レフィルが配置された後，その余ったレフィル収納部３の空間を満たすように配置される。配置されるスポンジ状弾性部材は，図５に示すように複数のスポンジ弾性部材を配置してもよいし，大きめのスポンジ弾性部材を配置することもできる。
【００２４】
(6)  好ましい簡易固定機構として，スライド式ひも状部材を用いることができる。これにより，スライド出来る範囲の任意の場所で，レフィルを簡易固定することが可能となる。加えて，レフィルの形状に応じた固定が可能となるとともに，スライドだけでレフィルを固定できることから，化粧料容器の取扱いを向上させる効果を有する。
(7)  スライド式ひも状部材として，好ましくはゴム状部材を用いることができる。これによりひも状部材の伸縮が可能となるため，レフィルの大きさや形状への対応が容易となるという効果を有する。
(8)  スライド式ひも状部材を用いた例を，図７に示す。図４では，スライド口１０にスライド部材１１が設置されており，スライド部材１１にはひも状部材１２の一端が不可逆的に取り付けられいる。ひも状部材１２のもう一端は，レフィル収納部３の右手前端に取り付けられている。
【００２５】
＜４．パフ収納部＞
(1)  パフ収納部４は，パフを収納する役割を有する。このパフを収納できる機能を果たす限り，特に限定する必要はなく，種々の構成を採用することができる。
(2)  例として図１に示すように，パフ収納部は，パフを収納可能な適度な深さを備え，長方形などのパフが収納可能な形状とすればよい。
【００２６】
＜５．本体接合部＞
(1)  本体接合部は，化粧料容器本体と容器蓋を，着脱可能に接合する役割を有する。本体接合部は，化粧容器本体と容器蓋を接合し，かつ，化粧料容器として容器蓋の開閉を可能とする限り，種々の構成を採用することができる。
(2)  例えば，図１に示すような構造とすることができる。容器本体１には，本体接合部５，５’，５’’が備えられている。本体接合部には，接合穴が開いており，これに容器蓋接合部１３，１３’を重ね合わせ，接合棒１４を通した後，接合部材１５を取り付ける構成とすればよい。
【００２７】
(3)  本体接合部の構造として，例えば，容器本体，容器蓋，それぞれの接合穴に磁石などの可逆的に接合できる部材を配置し，これらの接合穴に，非磁性の接合棒を通す構造とすることができる。これにより，接合棒を軸として蓋の開閉が可能となり，かつ，開閉状態や閉口状態を任意の場所で固定できる。さらには，接合棒を外すことにより，蓋の取り外しが可能となる。
【００２８】
(4)  なお，本発明において，本体接合部は任意の構成要素であり，容器本体と容器蓋を一体化する様式については，種々の構成を採用することができる。
【００２９】
＜＜ＩＩ．容器蓋＞＞
(1)  容器蓋は，容器本体と任意の手段により一体化され，容器本体の蓋としての役割を果たす。容器蓋は，この容器本体と一体化され，かつ，蓋としての役割を果たす限り特に限定する必要はなく，種々の構成を採用することができる。
(2)  容器蓋は，容器蓋接合部を有することが好ましい。これにより，容器蓋は，容器本体と可逆的に接合することが可能となり，化粧料容器の外観の変更を容易にできるという効果を有する。本構成により使用者は，その絵柄や模様，材質，形状などが異なる様々な容器蓋を，容器本体と組み合わせることが可能であり，自らの趣向にそった化粧料容器とすることができる。
(3)  例として図１に示すとおり，容器蓋２は，容器蓋接合部１３，１３’，ならびに鏡部１６を有する。前述のとおり，容器蓋２は，容器本体１と可逆的に接合しており，開閉可能となっている。
【符号の説明】
【００３０】
１…容器本体，２…容器蓋，３…レフィル収納部，４…パフ収納部，５…本体接合部，６…レフィル高調整台，７…凹部，８…凸部，９…スポンジ状弾性部材，１０…スライド口，１１…スライド部材，１２…ひも状部材，１３…容器接合部，１４…接合棒，１５…接合部材，１６…鏡部
【図１】
2014150907.tif 000003
【図２】
2014150907.tif 000004
【図３】
2014150907.tif 000005
【図４】
2014150907.tif 000006
【図５】
2014150907.tif 000007
【図６】
2014150907.tif 000008
【図７】
2014150907.tif 000009